(57)【特許請求の範囲】
【請求項１】
口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断可能橋絡部を介して該本体のスカート壁に接続され、内周面には該係止あご部に係止せしめられる係止手段が配設されている筒状タンパーエビデント裾部とを含み、該本体の該スカート壁には下方に突出する突出片が配設されており、該突出片の周方向両側には、該本体の該スカート壁と該タンパーエビデント裾部とを接続し且つ該タンパーエビデント裾部に対して該本体が上方に移動せしめられると鉛直線に対する傾斜角度が漸次変動せしめられる傾動部を有する非破断接続片が配設されている合成樹脂製容器蓋において、
該突出片にはその下端縁から上方に延びるスリットが周方向に間隔をおいて２個形成されており、該突出片は周方向に隣接して位置する３個の分割部に分割されていて、
該３個の分割部のうち周方向中央に位置する中央分割部は周方向両側に位置する両側分割部よりも長く、該両側分割部の下端縁を越えて下方に延出せしめられている、
ことを特徴とする合成樹脂製容器蓋。
【請求項２】
口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断可能橋絡部を介して該本体のスカート壁に接続され、内周面には該係止あご部に係止せしめられる係止手段が配設されている筒状タンパーエビデント裾部とを含み、該本体の該スカート壁には下方に突出する突出片が配設されており、該突出片の周方向両側には、該本体の該スカート壁と該タンパーエビデント裾部とを接続し且つ該タンパーエビデント裾部に対して該本体が上方に移動せしめられると鉛直線に対する傾斜角度が漸次変動せしめられる傾動部を有する非破断接続片が配設されている合成樹脂製容器蓋において、
該突出片にはその下端縁から上方に延びるスリットが周方向に間隔をおいて２個形成されており、該突出片は周方向に隣接して位置する３個の分割部に分割されていて、
該中央分割部の周方向幅は該両側分割部の周方向幅よりも小さい、
ことを特徴とする合成樹脂製容器蓋。
【請求項３】
該スリットは該突出片の上端まで延びている、請求項１又は２に記載の合成樹脂製容器蓋。
【請求項４】
該中央分割部の外周面は下方に向かって半径方向内方に傾斜せしめられており、該中央分割部の厚さは下方に向かって漸次低減せしめられている、請求項１から３までのいずれかに記載の合成樹脂製容器蓋。
【発明の詳細な説明】
【技術分野】
【０００１】
本発明は、容器の口頸部を開封した後においても容器蓋の全体が容器から分離されることがない型のタンパーエビデント特性を備えた合成樹脂製容器蓋、更に詳しくは本体と周方向に間隔をおいて配設された複数個の破断可能橋絡部を介して本体に接続されたタンパーエビデント裾部とを含み、橋絡部が破断されて本体が容器の口頸部から離脱されても、容器の口頸部に装着され続けるタンパーエビデント裾部に非破断接続片を介して本体が接続され続ける型の合成樹脂製容器蓋に関する。
【背景技術】
【０００２】
口頸部の外周面には雄螺条及びこの雄螺条の下方に位置する係止あご部が形成されている容器に適用される、タンパーエビデント特性を備えた合成樹脂製容器蓋として、下記特許文献１及び２には、天面壁及びこの天面壁の周縁から垂下する筒状スカート壁を有し、スカート壁の内周面には雄螺条に螺合せしめられる雌螺条が形成されている本体と、周方向に間隔をおいて配設された複数個の破断可能橋絡部を介して本体のスカート壁に接続され、内周面には係止あご部に係止せしめられる係止手段が配設されている筒状タンパーエビデント裾部とを含み、本体のスカート壁には下方に突出する突出片が配設されており、この突出片の周方向両側には、本体のスカート壁とタンパーエビデント裾部とを接続し且つタンパーエビデント裾部に対して本体が上方に移動せしめられると鉛直線に対する傾斜角度が漸次変動せしめられる傾動部を有する非破断接続片が配設されている合成樹脂製容器蓋が開示されている。
【０００３】
上記のとおりの容器蓋を容器の口頸部に装着して口頸部を密封する際には口頸部に容器蓋を被嵌して閉方向に回転し、容器蓋の雌螺条を口頸部の雄螺条に螺合せしめる。螺合の進行に応じて口頸部に対して容器蓋が下降され、タンパーエビデント裾部に形成されている係止手段は口頸部の係止あご部を弾性的に乗り越えてその下方に係止せしめられる。口頸部を開封する際には、容器蓋を開方向に回転せしめて口頸部の雄螺条と容器蓋の雌螺条との螺合を解除する。螺合の解除と共に容器蓋の本体は口頸部に対して上昇されるが、タンパーエビデント裾部は係止手段が口頸部の係止あご部に係止されている故に上昇が阻止され、従って破断可能橋絡部に応力が生成されて破断可能橋絡部が破断される。破断可能橋絡部が破断され本体が上昇を続け、タンパーエビデント裾部から本体が上方に離隔されると、これに応じて非破断接続片の傾動部は鉛直線に対する傾斜が漸次変動される。本体が口頸部から離脱された後においても、本体は非破断接続片の所要部位を旋回中心として旋回されて容器の口頸部から片側に変位せしめられるが、タンパーエビデント裾部は口頸部に装着され続け、本体は非破断接続片を介してタンパーエビデント裾部に接続され続け、従って容器から分離されることはない。容器の内容物を全部ではなくて部分的に消費した時点で消費を中断した場合には、本体を非破断接続片の所要部位を旋回中心として開封の際の旋回方向に対して反対方向に旋回せしめて容器の口頸部に被嵌し、次いで容器蓋を閉方向に回転せしめて容器蓋の雌螺条を口頸部の雄螺条に再び螺合せしめ、かくして口頸部を仮密封することができる。
【先行技術文献】
【特許文献】
【０００４】
【特許文献１】特開２００８−５６２４６号公報
【特許文献２】特開２０１０−１８２９０号公報
【発明の概要】
【発明が解決しようとする課題】
【０００５】
而して、本発明者等の経験及び実験によれば、上述した形態の従来の容器蓋には、次のとおりの解決すべき問題が存在する。即ち、容器蓋の本体を容器の口頸部から離脱した後に非破断接続片の所要部位を旋回中心として旋回して口頸部の片側に変位せしめる際には、突出片が弾性変形して口頸部の係止あご部の下面側から上面側に移動せしめられ、次いで弾性的に復元して「カッチ」という音を発生し、これによって本体が所要位置まで旋回されたことを消費者が理解できることが望まれる。しかしながら、特に容機蓋の全高が低く、それ故に突出片の突出長さが小さい場合、突出片の剛性が比較的大きいことに起因して突出片が弾性的に変形することが困難であり、それ故に突出片が口頸部の係止あご部の下面側から上面側に移動せしめられる際には、口頸部とタンパーエビデント裾部との間の所謂遊びに起因してタンパーエビデント裾部が口頸部に対して最大限に変位し、突出片の弾性的変形は生成されるとしても著しく小さいものになり、上述した「カッチ」という発音が生成されない或いは生成されるとしても著しく小さいものになってしまう。
【０００６】
本発明は上記事実に鑑みてなされたものであり、その主たる技術的課題は、突出片の突出長さが比較的小さい場合でも、突出片が係止あご部の下面側から上面側に移動せしめられる際には、少なくとも突出片の一部が充分に弾性変形された後に弾性的に復元されて所要とおりの音を発生する、新規且つ改良された合成樹脂製容器蓋を提供することである。
【課題を解決するための手段】
【０００８】
即ち、本発明の第一の局面によれば、上記主たる技術的課題を達成する合成樹脂製容器蓋として、口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断可能橋絡部を介して該本体のスカート壁に接続され、内周面には該係止あご部に係止せしめられる係止手段が配設されている筒状タンパーエビデント裾部とを含み、該本体の該スカート壁には下方に突出する突出片が配設されており、該突出片の周方向両側には、該本体の該スカート壁と該タンパーエビデント裾部とを接続し且つ該タンパーエビデント裾部に対して該本体が上方に移動せしめられると鉛直線に対する傾斜角度が漸次変動せしめられる傾動部を有する非破断接続片が配設されている合成樹脂製容器蓋において、
該突出片にはその下端縁から上方に延びるスリットが周方向に間隔をおいて２個形成されており、該突出片は周方向に隣接して位置する３個の分割部に分割されていて、
該３個の分割部のうち周方向中央に位置する中央分割部は周方向両側に位置する両側分割部よりも長く、該両側分割部の下端縁を越えて下方に延出せしめられている、
ことを特徴とする合成樹脂製容器蓋が提供される。
本発明の他の局面によれば、口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断可能橋絡部を介して該本体のスカート壁に接続され、内周面には該係止あご部に係止せしめられる係止手段が配設されている筒状タンパーエビデント裾部とを含み、該本体の該スカート壁には下方に突出する突出片が配設されており、該突出片の周方向両側には、該本体の該スカート壁と該タンパーエビデント裾部とを接続し且つ該タンパーエビデント裾部に対して該本体が上方に移動せしめられると鉛直線に対する傾斜角度が漸次変動せしめられる傾動部を有する非破断接続片が配設されている合成樹脂製容器蓋において、
該突出片にはその下端縁から上方に延びるスリットが周方向に間隔をおいて２個形成されており、該突出片は周方向に隣接して位置する３個の分割部に分割されていて、
該中央分割部の周方向幅は該両側分割部の周方向幅よりも小さい、
ことを特徴とする合成樹脂製容器蓋が提供される。
【０００９】
該スリットは該突出片の上端まで延びているのが好ましい。好適形態においては、該中央分割部の外周面は下方に向かって半径方向内方に傾斜せしめられており、該中央分割部の厚さは下方に向かって漸次低減せしめられている。
【発明の効果】
【００１０】
本発明の合成樹脂製容器蓋においては、突出片にはその下端縁から上方に延びるスリットが周方向に間隔をおいて２個形成されており、突出片は周方向に隣接して位置する３個の分割部に分割されていて、３個の分割部のうち周方向中央に位置する中央分割部は周方向両側に位置する両側分割部よりも長く、両側分割部の下端縁を越えて下方に延出せしめられている故に、または、中央分割部の周方向幅が両側分割部の周方向幅よりも小さい故に、突出片の剛性が低減されており、突出片の突出長さが比較的小さい場合でも、突出片が係止あご部の下面側から上面側に移動せしめられる際には、少なくとも突出片の一部が充分に弾性変形された後に弾性的に復元されて所要とおりの音を発生する。
【図面の簡単な説明】
【００１１】
【図１】本発明に従って構成された容器蓋の好適実施形態を示す正面図。
【図２】図１に示す容器蓋を、一部を断面図で示す正面図。
【図３】図１に示す容器蓋における突出片を示す正面図。
【図４】図３の線IV−IVにおける断面図。
【図５】図１に示す容器蓋を容器の口頸部に装着して口頸部を密封した状態を、一部を断面で示す正面図。
【図６】図５に示す状態から、口頸部を開封するために容器蓋を幾分開回転方向に回転せしめた状態を示す正面図。
【図７】図６に示す状態から容器蓋を更に開回転方向に回転せしめて容器蓋の本体を口頸部から離脱せしめて所要位置に保持した状態を示す側面図。
【図８】容器蓋の本体を旋回せしめて図７に示す状態にせしめる際の、容器蓋本体における突出片の中央分割部及び両側分割部の挙動を説明するための部分図（中央分割部が係止あご部を乗り越える直前）。
【図９】容器蓋の本体を旋回せしめて図７に示す状態にせしめる際の、容器蓋本体における突出片の中央分割部及び両側分割部の挙動を説明するための部分図（中央分割部が係止あご部を乗り越えた後）。
【発明を実施するための形態】
【００１２】
以下、添付図面を参照して、本発明に従って構成された合成樹脂製容器蓋の好適実施形態について、更に詳述する。
【００１３】
図１及び図２を参照して説明すると、ポリエチレン又はポリプロピレンの如き適宜の合成樹脂から射出成形又は圧縮成形によって好都合に一体成形することができる、全体を番号２で示す容器蓋は、本体４とタンパーエビデント裾部６とを含んでいる。本体４は円形天面壁８とこの天面壁８の周縁から垂下する円筒形状のスカート壁１０とを有する。天面壁８の内面には２条のシール突条、即ち内側環状突条１２及び外側環状突条１４が形成されている。
【００１４】
図示の容器蓋２においては、本体４の天面壁８の上面とスカート壁１０の外周面は断面図において円弧状の境界面を介して接続されている。そして、スカート壁１０の外周面は実質上鉛直に垂下せしめられている。スカート壁１０の下端部には半径方向外側に幾分張り出した環状フランジ１６が配設されている。環状フランジ１６よりも上方においてスカート壁１０の外周面には、周方向に間隔をおいて軸線方向に延びる突条部とかかる突条部間に位置する非突条部とから構成されたナール１８が形成されている。スカート壁１０の内周面には雌螺条、更に詳しくは等間隔に配置され且つ各々が２１５度の角度範囲に渡って延びる３条の雌螺条２０が形成されている。２０乃至５０度の角度範囲に渡る特定角度領域（即ち後述する突出片に対して直径方向反対側に位置する特定角度領域）Ｘにおいては、軸線方向下方側に位置する雌螺条２０が切り欠かれているのが好適である（その理由については後述する）。
【００１５】
図１及び図２を参照して説明を続けると、タンパーエビデント裾部６は全体として円筒形状であり、周方向に間隔をおいて配設された複数個の破断可能橋絡部２２を介して本体４のスカート壁１０に接続させている。破断可能橋絡部２２は特開２００７−１９１２０６号公報に開示されている破断可能橋絡部と実質上同一でよく、上端部はスカート壁１０の内周面下端部に接続され下端部はタンパーエビデント裾部６の内周面上端部に接続されている。タンパーエビデント裾部６の内周面には係止手段２４が配設されている。図示の実施例における係止手段２４は、周方向に間隔をおいて周方向に延在する５個の突状から形成されており、突状の各々の断面形状は略直角三角形状である。係止手段２４よりも上方の領域には、嵌合下部２８と遊嵌上部３０が配設されている。嵌合下部２８の内径は遊嵌上部３０の内径よりも幾分低減せしめられている（図示の実施形態における係合手段２４、嵌合下部２８及び遊嵌上部３０の詳細については、本出願人の出願に係る特願２０１０−００６７８４の明細書及び図面に詳細に記載されているので、かかる記載を参照されたい）。所望ならば、周方向に間隔をおいて配設されタンパーエビデント裾部６の内周面から半径方向内方に傾斜して上方に延出せしめられている複数個の係止片の如き、他の適宜の形態の係止片から係止手段２４を構成することもできる。図１に番号３２で示す領域においては、係止手段２４は配設されていないが、半径方向内方に突出する補強突状３４（図４）が形成されている。補強突状３４の断面形状は略半円形でよい。
【００１６】
図１において番号３６で示す領域において、本体４のスカート壁１０の下端縁は他の領域の下端縁よりも上方に変位せしめられており、またタンパーエビデント裾部６の上端縁は他の領域の上端縁よりも下方に変位せしめられ、そして更に領域２６の中央部、即ち番号３２で示す領域、においてはタンパーエビデント裾部６の上端縁は更に幾分下方に変位せしめられており、スカート壁１０とタンパーエビデント裾部６との間には正面図において略横長矩形状の開口３８が生成されている。開口３８の周方向中央部において、スカート壁１０には下方に突出する突出片４０が形成されている。
【００１７】
図１と共に図３及び図４を参照して説明を続けると、図示の実施形態における突出片４０は全体として矩形状であり、突出片４０にはその下端縁から上方に実質上鉛直に延びる２本のスリット４２が形成されている。２本のスリット４２は突出片４０の上端まで延びており、突出片４０は周方向中央に位置する短冊状中央分割部４４と周方向両側に位置する短冊状両側分割部４６とに分割されている。スリット４２は必ずしも突出片４０の上端まで延在せしめる必要はないが、少なくとも中央分割部４４の軸線方向中間を越えて上方に延びているのが望ましい。図３を参照することによって明確に理解される如く、中央分割部４４は両側分割部４６よりも幾分長く、両側分割部４６の下端縁を越えて下方に延出しており、そしてまた中央分割部４４の周方向幅は両側分割部４６の周方向幅よりも幾分小さい。所望ならば、中央分割部４４及び両側分割部４６を下方に向かって漸次幅広或いは幅狭になる形状等の適宜の形状にせしめることもできる。更に、図４を参照することによって明確に理解される如く、中央分割部４４の外周面は下方に向かって半径方向内方に傾斜せしめられており、中央分割部４４の厚さは下方に向かって漸次低減せしめられている。図３に明確に図示する如く、中央分割部４４が両側分割部４６の下端を越えて下方に延出していることに対応して、タンパーエビデント裾部６の上述した領域３２において、タンパーエビデント裾部６の上端縁は、中央分割部４４に対向する部位が両側分割部４６に対抗する部位よりも幾分下方に変位せしめられており、中央分割部４４の下端縁とタンパーエビデント裾部６の上端縁との間及び両側分割部４６の下端縁とタンパーエビデント裾部６の上端縁との間には実質上同一の間隙Ｇ１が存在する。
【００１８】
図１を参照して説明を続けると、上記開口３８内には、突出片４０の両側に位置する非破断接続片４８ａ及び４８ｂも配設されている。図示の実施形態における非破断接続片４８ａは、スカート壁１０の下端縁から周方向片側（図１において左側）に実質上水平に延びる第一の傾動部５０ａ、第一の傾動部５０ａの延出端部から若干下方に延びる中間部５２ａ、中間部５２ａに続いて周方向他側（図１において右側）に実質上水平に延びタンパーエビデント裾部６の上端部に接続されている第二の傾動部５４ａから構成されている。非破断接続片４８ｂは非破断接続片４８ａと線対称形状であり、スカート壁１０の下端縁から周方向他側（図１において右側）に実質上水平に延びる第一の傾動部５０ｂ、第一の傾動部５０ｂの延出端部から若干下方に延びる中間部５２ｂ、中間部５２ｂに続いて周方向片側（図１において左側）に実質上水平に延びタンパーエビデント裾部６の上端部に接続されている第二の傾動部５４ｂから構成されている。所望ならば、非破断接続片４８ａにおける第一の傾動部５０ａ及び第二の傾動部５４ａ並びに非破断接続片４８ｂにおける第一の傾動部５０ｂ及び第二の傾動部５４ｂを水平ではなくて幾分傾斜して延在するようになすこともできる。
【００１９】
上記開口２８内には、更に、周方向において突出片４０と非破断接続片４８ａ及び４８ｂの各々との間に台座片が配設されている。詳述すると、図示の実施形態においては、突出片４０と非破断接続片４８ａとの間には、スカート壁１０から下方に突出するスカート壁側台座片５６ａとタンパーエビデント裾部６から上方に突出するタンパーエビデント裾部側台座片５８ａとが形成されている。同様に、突出片４０と非破断接続片４８ｂとの間にも、スカート壁１０から下方に突出するスカート壁側台座片５６ｂとタンパーエビデント裾部６から上方に突出するタンパーエビデント裾部側台座片５８ｂとが形成されている。スカート壁側台座片５６ａ及び５６ｂは略倒立台形状で、タンパーエビデント裾部側台座片５８ａ及び５８ｂは略台形状である。スカート壁側台座片５６ａ及び５６ｂの下端縁とタンパーエビデント裾部側台座片５８ａ及び５８ｂの上端縁との間には間隙Ｇ２が存在する。かかる間隙Ｇ２は、突出片４０の中央分割部４４及び両側分割部４６の下端縁とタンパーエビデント裾部６の上端縁との間の上記間隙Ｇ１と同一或いはこれより幾分小さく設定されているのが好都合である。
【００２０】
上述したとおりの容器蓋２の射出成形或いは圧縮成形工程において、成形された容器蓋２を成形型から離脱する際には、雌螺条２０の存在等の起因する所謂無理抜きに起因して、容器蓋２の本体４が図１において下方に強制される。然るに、図示の容器蓋２においては、容器蓋２の本体４が図１において下方に強制されると、スカート壁側台座片５６ａ及び５６ｂの下端縁がタンパーエビデント裾部側台座片５８ａ及び５８ｂの上端縁に当接し、これによって本体４の図１において下方への移動が制限される。それ故に、突出片４０の下端縁がタンパーエビデント裾部６の上端縁に相当大きな力で押圧されて突出片４０に座屈が生成されてしまうことが回避乃至抑制される。
【００２１】
図５を参照して説明を続けると、ポリエチレンテレフタレートの如き適宜の合成樹脂或いはガラスから形成することができる容器の口頸部６０は全体として円筒形状であり、その上面は開口されている。口頸部６０の外周面には、雄螺条、更に詳しくは１５４度の角度範囲に渡って延びる３条の雄螺条６２と、この雄螺条６２の下方に位置する係止あご部６４が形成されている。
【００２２】
口頸部６０に容器蓋２を装着して口頸部６０を密封する際には、口頸部６０に容器蓋２を被嵌して閉方向（図５において上方から見て時計方向）に回転せしめ、口頸部６０の雄螺条６２に容器蓋２の雌螺条２０を螺合せしめる。雄螺条６２に対する雌螺条２０の螺合の進行に応じて容器蓋２は口頸部６０に対して漸次下降する。図５に図示する状態まで口頸部６０に対して容器蓋２が下降せしめられると、容器蓋２の本体４における天面壁８の内面に形成されている内側環状突条１２及び外側環状突条１４が夫々口頸部６０の内周面及び外周面に密接せしめられ、これによって口頸部６０が密封される。容器蓋２のタンパーエビデント裾部６の内周面に配設されている係止手段２４は口頸部６０の係止あご部６４を弾性的に乗り越えて、係止あご部６４の下面に係止せしめられる。
【００２３】
口頸部６０を開封する際には、容器蓋２を開方向（図５において上方から見て反時計方向）に回転せしめ、口頸部６０の雄螺条６２に対する容器蓋２の雌螺条２０の螺合を漸次解除する。螺合を漸次解除すると容器蓋２の本体４は開方向に回転せしめられると共に上昇せしめられるが、タンパーエビデント裾部６は係止手段２４が口頸部６０の係止あご部６４に係止しているので上昇が阻止され、これに起因して破断可能橋絡部２２に相当な応力が生成され、破断可能橋絡部２２が破断される。しかる後においては、容器蓋２の本体４は開方向への回転と共に上昇し、タンパーエビデント裾部６から上方に漸次離隔せしめられる。図５と共に図６を参照することによって明確に理解される如く、タンパーエビデント裾部６から本体４が漸次上方に離隔せしめられると、非破断接続片４８ａの第一の傾動部５０ａ及び非破断接続片４８ｂの第二の傾動部５４ｂは夫々の上端及び下端を中心として図５及び図６において時計方向に旋回、即ち時計方向に傾動され、一方非破断接続片４８ａの第二の傾動部５４ａ及び非破断接続片４８ｂの第一の傾動部５０ｂは夫々の下端及び上端を中心として図５及び図６において反時計方向に旋回、即ち反時計方向に傾動され、これに応じて非破断接続片４８ａ及び４８ｂにおける第一の傾動部５０ａ及び５０ｂ並びに第二の傾動部５４ａ及び５４ｂの鉛直線に対する傾斜角度が漸次変動される。図５及び図６と共に図７を参照することによって明確に理解される如く、口頸部６０の雄螺条６２に対する容器蓋２の雌螺条２０の螺合が完全に解除されると、容器蓋２の本体４は口頸部６０から離脱される。しかしながら、本体４は非破断接続片４８ａ及び４８ｂを介して、口頸部６０に装着され続けているタンパーエビデント裾部６に接続され続けている故に、容器の口頸部６０から離間されることはない。
【００２４】
容器蓋２の本体４が口頸部６０から離脱された後においては、本体４を口頸部６０から遠ざかる方向（図７において反時計方向）に、図７に図示する状態まで旋回せしめる。この際には、最初に、図８に図示する如く、突出片４０の中央分割部４４の下端部が口頸部６０の係止あご部６４の下面側に当接し、しかる後においては本体２の旋回に応じて漸次弓形状に弾性的に変形される。突出片４０がスリット４２によって中央分割部４４及び両側分割部４６に分割されており、そして更に図示の実施形態においては中央分割部４４が比較的幅狭であり且つ下方に向かって厚さが漸次低減せしめられている故に、突出片４０が分割されることなく一体である場合に比べて、突出片４０の中央分割部４４の剛性は相当低減せしめられており、中央分割部４４は所要とおりに弾性変形される。両側分割部４６の下端縁即ち先端縁は係止あご部６４から下方乃至半径方向外側に離隔されており、両側分割部４６が弾性変形されることはない。本体４の旋回が進行し本体４が所定角度位置を越えると、中央分割部４４は係止あご部６４を弾性的に乗り越えて弾性的に元の形状に復元せしめられ、この際に「カッチ」という音を生成する。中央分割部４４が係止あご部６４を乗り越えると、図９に図示する如く、口頸部６０に対してタンパーエビデント裾部６が幾分上昇することによって突出片４０の両側分割部４６の下端部外周面が係止あご部６４の上面側に当接し、これによって本体４が図７に図示する位置に保持、換言すれば図７において時計方向に旋回することが阻止される。従って、消費者は本体４の存在によって阻害されることなく、容器内に存在する清涼飲料の如き内容物を飲食することができる。
【００２５】
内容物の飲食を途中で中断した場合には、図７に図示する位置に保持されている本体４を図７において時計方向に旋回せしめる。この際には、口頸部６０に対してタンパーエビデント裾部６が幾分下降することによって突出片４０の両側分割部４６は係止あご部６４の上面側から下方乃至半径方向外方に離隔され、突出片４０の中央分割部４４は弾性的に変形することによって係止あご部６４を弾性的に乗り越えて係止あご部６４の側面側に移動する。容器蓋２を更に閉方向に回転せしめて口頸部６０に被嵌し、しかる後に本体４を図６において上方から見て時計方向に回転せしめて口頸部６０の雄螺条６２に容器蓋２の雌螺条２０を螺合せしめ、かくして容器蓋２を再び図５に図示する状態に位置せしめて、口頸部６０を仮密封することができる。本体４を図７において時計方向に旋回せしめて本体４を口頸部６０に再び被嵌せしめる際に、図示の実施形態においては容器蓋２のスカート壁１０の内周面に形成されている雌螺条２０が、上記特定領域Ｘ（図２）において切り欠かれている故に、雌螺条２０が口頸部６０の雄螺条６２に干渉して口頸部６０に対する本体４の被嵌を阻害することが充分に回避される。
【符号の説明】
【００２６】
２：容機蓋
４：容機蓋の本体
６：タンパーエビデント裾部
８：天面壁
１０：スカート壁
２０：雌螺条
２２：破断可能橋絡部
２４：係止手段
４０：突出片
４２：スリット
４４：中央分割部
４６：両側分割部
４８ａ：非破断接続片
４８ｂ：非破断接続片
６０：容器の口頸部
６２：雄螺条
６４：係止あご部
【図１】
0005600461.tif 000002
【図２】
0005600461.tif 000003
【図３】
0005600461.tif 000004
【図４】
0005600461.tif 000005
【図５】
0005600461.tif 000006
【図６】
0005600461.tif 000007
【図７】
0005600461.tif 000008
【図８】
0005600461.tif 000009
【図９】
0005600461.tif 000010